(57)【要約】  【課題】  マウント構造が同じで、マウント基準面から像面方向への突出量が異なる交換レンズと複数のカメラとの間に装着可能な中間アダプタを提供する。  【解決手段】  第１および第２のカメラと第１および第２の交換レンズとの間に取り付けられる中間アダプタ６０１において、第１および第２の交換レンズのそれぞれに対応した取り付け指標６１８，６１９を設ける。また、中間アダプタ６０１内における、第２の交換レンズの突出部５０５から退避する位置に第３の壁部６０７ａを設ける。    【選択図】  図１７
2005070711.tif 000002
【特許請求の範囲】
【請求項１】
第１の交換レンズと、
マウント基準面から像面方向に突出した突出部の突出量が前記第１の交換レンズより大きく、かつフランジバックが前記第１の交換レンズと同一の第２の交換レンズと、
前記第１の交換レンズが装着され、かつマウントの内側に第１の壁部を有して前記第２の交換レンズの前記突出部の前記第１の壁部への当接により前記第２の交換レンズの装着が阻止される第１のカメラと、
マウントの内側に、前記第２の交換レンズの前記突出部から退避する位置に設けられた第２の壁部を有し、前記第１の交換レンズおよび前記第２の交換レンズが選択的に装着される第２のカメラとを含むカメラシステムに用いられ、カメラと交換レンズとの間に装着される中間アダプタであって、
前記第１の交換レンズと前記第１および第２のカメラとの間に装着され、かつマウントの内側に、前記第２の交換レンズの前記突出部から退避する位置に設けられた第３の壁部を有し、前記第２の交換レンズと前記第１および第２のカメラの間に装着されることを特徴とする中間アダプタ。
【請求項２】
第１の交換レンズと、
マウント基準面から像面方向に突出した突出部の突出量が前記第１の交換レンズより大きく、かつフランジバックが前記第１の交換レンズと同一の第２の交換レンズと、
前記第１の交換レンズが装着され、かつマウントの内側に第１の壁部を有して前記第２の交換レンズの前記突出部の前記第１の壁部への当接により前記第２の交換レンズの装着が阻止される第１のカメラと、
マウントの内側に前記第２の交換レンズの前記突出部から退避する位置に設けられた第２の壁部を有し、前記第１の交換レンズおよび前記第２の交換レンズが装着される第２のカメラのうち、
少なくとも前記第１の交換レンズと前記第１および第２のカメラとの間に装着される中間アダプタであって、
マウントの内側に、前記第２の交換レンズの前記突出部から退避する位置に設けられた第３の壁部を有し、前記第２の交換レンズと前記第１および第２のカメラとの間に装着されることを特徴とする中間アダプタ。
【請求項３】
前記第１および第２の交換レンズと前記第１および第２のカメラに対してバヨネット結合により装着され、
前記第１の交換レンズに装着する際の前記第１の交換レンズとの間の位相関係を決定する目印となる第１の指標と、
前記第１の指標とは異なる位相位置に設けられ、前記第２の交換レンズに装着する際の前記第２の交換レンズとの間の位相関係を決定する目印となる第２の指標とを有することを特徴とする請求項１又は２に記載の中間アダプタ。
【請求項４】
第１の交換レンズと、
マウント基準面から像面方向に突出した突出部の突出量が前記第１の交換レンズより大きく、かつフランジバックが前記第１の交換レンズと同一の第２の交換レンズと、
前記第１の交換レンズが装着され、かつマウントの内側に第１の壁部を有して前記第２の交換レンズの前記突出部の前記第１の壁部への当接により前記第２の交換レンズの装着が阻止される第１のカメラと、
マウントの内側に、前記第２の交換レンズの前記突出部から退避する位置に設けられた第２の壁部を有し、前記第１の交換レンズおよび前記第２の交換レンズが装着される第２のカメラとを含むカメラシステムであって、
前記第１の交換レンズと前記第１および第２のカメラとの間に装着され、かつマウントの内側に、前記第２の交換レンズの前記突出部から退避する位置に設けられた第３の壁部を有し、前記第２の交換レンズと前記第１および第２のカメラの間に装着される中間アダプタを含むことを特徴とするカメラシステム。
【請求項５】
前記中間アダプタは、前記第１および第２の交換レンズと前記第１および第２のカメラに対してバヨネット結合により装着され、
前記第１の交換レンズに装着する際の前記第１の交換レンズとの間の位相関係を決定する目印となる第１の指標と、
前記第１の指標とは異なる位相位置に設けられ、前記第２の交換レンズに装着する際の前記第２の交換レンズとの間の位相関係を決定する目印となる第２の指標とを有することを特徴とする請求項４に記載のカメラシステム。
【請求項６】
カメラと交換レンズの間に取り付けられる中間アダプタであって、該中間アダプタの交換レンズ側マウント近傍に設けられるレンズ取り付けのための取り付け指標が複数設けられていることを特徴とする中間アダプタ。
【請求項７】
前記複数の取り付け指標は、それぞれ角度位相位置が異ならせて設けたことを特徴とする請求項６に記載の中間アダプタ。
【請求項８】
前記複数の取り付け指標は、それぞれ形状、または色が異なっていることを特徴とする請求項６または７に記載の中間アダプタ。
【請求項９】
前記中間アダプタは少なくとも２つのバックフォーカス長規格の交換レンズ群を取り付け可能であることを特徴とする請求項６、７および８のいずれか１項に記載の中間アダプタ。
【発明の詳細な説明】
【技術分野】
【０００１】
本発明は、同一マウント構造を有する複数のカメラと、マウント基準面から像面方向への突出量が異なる交換レンズとを含むカメラシステムに使用される、カメラとレンズ鏡筒の間に取り付けられる中間アダプタに関するものである。
【背景技術】
【０００２】
近年、カメラのデジタル化が進み、レンズ交換が可能な一眼レフカメラシステムにおいても、従来の交換レンズ群が装着使用可能なようにマウント形状の同一性は継承しつつ、３５ｍｍ銀塩フィルムをＣＣＤやＣＭＯＳセンサなどの電子撮像素子にした一眼レフデジタルカメラが提案されている。しかし、３５ｍｍ銀塩フィルムと同サイズのＣＣＤやＣＭＯＳセンサなどの電子撮像素子は大変高価であるため、３５ｍｍフィルムよりも小さい撮像素子（例えば、ＡＰＳ−Ｃサイズの撮像素子）を使用したものが主流となっている。
【０００３】
このような従来の３５ｍｍフィルムよりも小さい撮像素子を用いた一眼レフデジタルカメラにおいては、イメージサークルが３５ｍｍフィルムよりも小さいので、カメラボディ内のクイックリターンミラーを小さくすることが可能であり、ひいてはカメラボディ自体を小型化することが可能である。また、従来よりもクイックリターンミラーが小さくなると、交換レンズも従来の交換レンズよりもバックフォーカスを短くすることが可能となり、イメージサークルも小さいので、交換レンズの小型化が可能というメリットがある。
【０００４】
しかし、前述したバックフォーカスの短い交換レンズを、３５ｍｍフィルムカメラボディ若しくは該交換レンズよりも大きなイメージサークルに対応したデジタルカメラに取り付けてしまうと、交換レンズの後端部とクイックリターンミラーが干渉する恐れがある。また、従来システムのカメラボディに、バックフォーカスの短い（イメージサークルの小さい）デジタルカメラ専用交換レンズを装着可能にすると、撮像面の周辺に光束が届かない等の不具合が発生する。
【０００５】
したがって、この様な組合せでカメラボディと交換レンズとが装着されてしまうことがないように制限する手段が必要となる。
【０００６】
特許文献１には、マウントは共通であるが、バックフォーカスが一定以下の交換レンズの装着を制限するカメラシステムおよびカメラボディ、交換レンズが開示されている。このカメラシステム等では、従来のカメラボディのマウント内部にフランジ部を設け、このフランジ部にバックフォーカスの短い交換レンズに設けられた固定突起が当接することで、該交換レンズの装着が制限されるようにしている。
【０００７】
一方、交換レンズとカメラボディを接続する交換レンズ型カメラシステムはバヨネットマウントによる取り付けが一般的であり、少ない回転角で迅速、確実に取り付けを完了することができることが利点となっている。バヨネットマウントの場合、カメラボディと交換レンズの取り付け時の挿入角度位置（位相）を示すためにカメラボディおよび交換レンズそれぞれに、取り付け指標が設けられている。使用者はそれぞれの取り付け指標を合わせた位置でカメラボディに交換レンズを挿入し、定められた回転方向にストッパーあるいはロックピンが係合するまで定められた回転量を回転することにより取り付けを完了する。
【０００８】
また、交換レンズ式のカメラシステムのアクセサリとして、カメラボディと交換レンズとの間に介在させることにより、交換レンズのバックフォーカスを延長して至近距離撮影を可能としたり、あるいは取り付けられる交換レンズの像倍率を拡大するしたりする機能を有する中間アダプタと呼ばれるものが知られている。
【０００９】
特許文献２には、前述したバックフォーカスが異なる交換レンズを含むカメラシステムでも使用が可能な中間アダプタが開示されている。
【特許文献１】特許第３２１７２７３号公報（段落００１８〜００３４、図１および図３等）
【特許文献２】特許第３２１０５８６号公報（段落００２９〜００４５、図１７および図１８等）
【発明の開示】
【発明が解決しようとする課題】
【００１０】
しかしながら、特許文献１および特許文献２には、マウント形状（構造）が同じであり、さらに異なるバックフォーカスにそれぞれ対応したカメラボディあるいは交換レンズであっても、どのようにして使用者にそれがどのシステムに対応した交換レンズあるいはカメラボディであるかを認識させて取り付け作業を行わせるかまでは言及されていない。
【００１１】
また、特許文献２にて提案のカメラシステムでは、バックフォーカスが一定以上の交換レンズの装着が可能な中間アダプタと、バックフォーカスが一定以下の交換レンズの装着を制限する中間アダプタとが別々に用意されるため、一方の中間アダプタしか所持していない場合に、使用できる交換レンズとカメラとの組み合わせが制限されることになる。
【００１２】
本発明は、マウント基準面から像面側への突出量が異なる複数の交換レンズと、該突出量が大きな交換レンズの装着が制限されるカメラおよび許容されるカメラのいずれにも装着が可能な中間アダプタを提供することを目的としている。また、本発明は、上記交換レンズやカメラへの装着を容易とした中間アダプタを提供することをも目的としている。
【課題を解決するための手段】
【００１３】
上記の目的を達成するために、
第１の発明では、第１の交換レンズと、マウント基準面から像面方向に突出した突出部の突出量が前記第１の交換レンズより大きく、かつフランジバックが前記第１の交換レンズと同一の第２の交換レンズと、前記第１の交換レンズが装着され、かつマウントの内側に第１の壁部を有して前記第２の交換レンズの前記突出部の前記第１の壁部への当接により前記第２の交換レンズの装着が阻止される第１のカメラと、マウントの内側に前記第２の交換レンズの前記突出部から退避する位置に設けられた第２の壁部を有し、前記第１の交換レンズおよび前記第２の交換レンズが選択的に装着される第２のカメラとを含むカメラシステムに用いられ、カメラと交換レンズとの間に装着される（または、第１の交換レンズと、マウント基準面から像面方向に突出した突出部の突出量が前記第１の交換レンズより大きく、かつフランジバックが前記第１の交換レンズと同一の第２の交換レンズと、前記第１の交換レンズが装着され、かつマウントの内側に第１の壁部を有して前記第２の交換レンズの前記突出部の前記第１の壁部への当接により前記第２の交換レンズの装着が阻止される第１のカメラと、マウントの内側に、前記第２の交換レンズの前記突出部から退避する位置に設けられた第２の壁部を有し、前記第１の交換レンズおよび前記第２の交換レンズが選択的に装着される第２のカメラのうち、少なくとも前記第１の交換レンズと前記第１および第２のカメラとの間に装着される）中間アダプタ若しくは該中間アダプタを含むカメラシステムにおいて、前記第１の交換レンズと前記第１および第２のカメラとの間に装着され、かつマウントの内側に、前記第２の交換レンズの前記突出部から退避する位置に設けられた第３の壁部を有し、前記第２の交換レンズと前記第１および第２のカメラと間に装着されることを特徴とする。
【００１４】
なお、上記第１の発明において、前記第１および第２の交換レンズと前記第１および第２のカメラに対してバヨネット結合により装着される場合には、中間アダプタに、第１の交換レンズを装着する際に該第１の交換レンズとの間の位相関係を決定する目印となる第１の指標と、第１の指標とは異なる位相位置に設けられ、第２の交換レンズを装着する際に該第２の交換レンズとの間の位相関係を決定する目印となる第２の指標とを設けてもよい。
【００１５】
また、第２の発明では、カメラと交換レンズの間に取り付けられる中間アダプタであって、該中間アダプタの交換レンズ側マウント近傍に設けられるレンズを取り付けのためのレンズ取り付け指標が複数設けられていることを特徴とする。これにより、中間アダプタの使用者に、複数の異なる種類のカメラであっても共通に使用可能な中間アダプタであるということを認識させることができる。
【００１６】
ここで、上記中間アダプタに複数設けられているレンズ取り付け指標をそれぞれの交換レンズの角度位相位置に対応させることにより、バックフォーカスの異なる交換レンズを取り付ける際には、それぞれ対応するレンズ取り付け指標を合わせて取り付けるようにしてもよい。
【００１７】
また、上記の中間アダプタに複数設けられているレンズ鏡筒取り付け指標をそれぞれの交換レンズ群ごとの形状あるいは色に対応させることにより、バックフォーカスの異なる交換レンズ群を取り付ける際にはそれぞれ形状あるいは色が対応するレンズ取り付け指標を合わせて取り付けるようにてもよい。
【００１８】
また、上記中間アダプタを、少なくとも２つのバックフォーカス長規格の元に製作された交換レンズ群を取り付けることが可能とすることにより、異なったバックフォーカス長規格の元に製作された交換レンズ群に対して一つの中間アダプタで対応できるようにしてもよい。
【発明の効果】
【００１９】
第１の発明によれば、１つの中間アダプタを第１，第２の交換レンズおよび第１，第２のカメラのすべてに装着することができるので、複数の中間アダプタを用いることなく、直接組み合わせる（装着する）ことができない第２の交換レンズと第１のカメラの組み合わせも使用可能とし、カメラと交換レンズの組み合わせの選択自由度（カメラシステムの使用形態の幅）を広げることができる。しかも、中間アダプタには、第２の交換レンズの突出部から退避する位置に壁部が設けられているので、第２の交換レンズの装着時に中間アダプタおよび上記突出部に傷が付くことを回避できる。
【００２０】
そして、中間アダプタに第１および第２の指標を設けることにより、中間アダプタに対する第１および第２の交換レンズの装着を容易とし、かつ誤装着を回避することができる。
【００２１】
また、第２の発明によれば、中間アダプタのレンズ側マウント近傍にレンズ取り付け指標を複数設けることにより、使用者に該中間アダプタがバックフォーカスの異なる複数の交換レンズ（カメラシステム）に使用可能であることを認識させ、使用者にとって装着操作を容易に理解のしやすい中間アダプタとすることができる。
【００２２】
ここで、複数それぞれのカメラシステムに対応した該取り付け指標は取り付け角度位置を異ならせて設け、実際に取り付ける際にはそれぞれのカメラシステムに対応したレンズ指標同士を合わせてマウント挿入位置を判断すればよいとすることにより、使用者にとって装着操作をさらに容易に理解のしやすい中間アダプタとすることができる。
【００２３】
さらに、複数それぞれのカメラシステムに対応したレンズ取り付け指標の形状あるいは色を異ならせることにより、実際に取り付ける際にはそれぞれのカメラシステムに対応した形状、あるいは色を有するレンズ指標同士を合わせてマウント挿入位置を判断すればよいので、使用者にとって装着操作をさらに容易に理解のしやすい中間アダプタとすることができる。
【００２４】
さらにまた、中間アダプタを異なるバックフォーカス長の元に製作された交換レンズ群に共通に使用可能にするようにすれば、バックフォーカス長の異なる交換レンズを中間アダプタを介してカメラに自由に装着して撮影を行うことができる。
【発明を実施するための最良の形態】
【００２５】
以下、本発明の実施例について図面を参照しながら説明する。
【実施例１】
【００２６】
図１は、本実施例の至近距離撮影を可能とする中間アダプタの正面図であり、図２は上面図、図３は斜視図である。
【００２７】
図１、２および３において、１は中間アダプタ、２はアダプタ本体、３はレンズ側マウント、４はカメラ側マウントである。レンズ側マウント３およびカメラ側マウント３，４にはそれぞれ、交換レンズのマウントに設けられたバヨネット爪およびカメラのマウントに設けられたバヨネット爪に係合可能なバヨネット爪が設けられている。
【００２８】
５は電気的信号を通信し、制御を行うための交換レンズ側とカメラ側の電気的接続ピンである。６は交換レンズの取り付け保持を行うロックピン１１によるロックを解除するためのロック解除レバーである。７は第１のバックフォーカス長規格の元に製作された交換レンズ群のための取り付け角度位置（位相）を示すレンズ側第１取り付け指標、８は第２のバックフォーカス長規格の元に製作された交換レンズ群のための取り付け角度位置（位相）を示すレンズ側第２取り付け指標である。さらに、９は中間アダプタ１をカメラ側の取り付け指標と対応させるためのカメラ側取り付け指標である。
【００２９】
尚、中間アダプタ１は第１および第２のバックフォーカス長規格のいずれの交換レンズでも部材が干渉することなく取り付けることが可能となっている。
【００３０】
次に、図４、５を用いて中間アダプタ１の取り付けについて説明する。中間アダプタ１を、第１のバックフォーカス長規格の元に製作された交換レンズ１０に取り付ける場合には、該交換レンズ１０の取り付け指標１０ａに、中間アダプタ１のレンズ側第１取り付け指標７を合わせてレンズ側マウント３を交換レンズ１０のマウントに挿入し、中間アダプタ１に設けられたロックピン１１が係合するまで交換レンズ１０を回転させる。これにより、交換レンズ１０に中間アダプタ１をバヨネット爪の係合により取り付けることができる。
【００３１】
また、交換レンズ１０に取り付けられた中間アダプタ１を不図示のカメラボディに取り付ける場合には、カメラ側取り付け指標９を該カメラボディの取り付け指標に合わせてカメラ側マウント４をカメラボディのマウントに挿入し、カメラ側のロックピンがカメラ側マウント４に係合するまで回転させて取り付けを完了する。
【００３２】
続いて、図６、図７を用いて、第２のバックフォーカス長規格の元に製作された交換レンズ２０に中間アダプタ１を取り付ける際の動作について説明する。交換レンズ２０の取り付け指標２０ａに対して中間アダプタ１のレンズ側第２取り付け指標８の角度位置を合わせて交換レンズ２０のマウントにレンズ側マウント４を挿入し、カメラ側のロックピンが係合するまで交換レンズ２０を回転させ、交換レンズ２０に中間アダプタ１を取り付ける。
【００３３】
さらに、交換レンズ２０が取り付けられた中間アダプタ１を不図示のカメラボディに取り付ける場合には、中間アダプタ１のカメラ側取り付け指標９をカメラボディの取り付け指標に合わせてカメラ側マウント４をカメラボディのマウントに挿入し、カメラ側のロックピンが係合するまで回転させ、取り付けを完了する。
【００３４】
なお、本実施例の取り付け指標は２つとして説明しているが、これは３つ以上であっても同様の効果が得られることは言うまでもない。また、本実施例では、第１の取付け指標１０ａの形状を円形、第２の取付け指標２０ａの形状を四角形としたが、これはそれぞれのバックフォーカス長規格として区別され定められたものであれば形状は問わず、また色についても同様である。さらに、本実施例の中間アダプタは、至近距離撮影を行うための中間アダプタとしたが、これを撮影倍率を拡大するための中間アダプタとしてもよい。
【実施例２】
【００３５】
以下、上記実施例１にて説明した交換レンズ、カメラおよび中間アダプタについて、図８〜図２１を用い、新たに符号を付して実施例２としてより詳細に説明する。なお、ここでは、第１および第２のカメラが、撮像素子を備えたデジタルカメラである場合について説明する。また、以下の説明において、「前」とは被写体側を、「後」とは像面若しくは撮像素子側を示す。
【００３６】
図１１，１２および１３には、本実施例のカメラシステムを構成する第１のカメラ（カメラボディ）２０１を示す。第１のカメラ２０１の前面には、後述する第１の交換レンズ又は中間アダプタを装着するためのリング状のマウント２０２が取り付けられている。このマウント２０２の前端面は、第１の交換レンズ又は中間アダプタを装着する際の基準面（マウント基準面）２０２ａとなっている。
【００３７】
マウント２０２の内側（内径側）において、マウント基準面２０２ａから後方に奥まった位置には、第１の交換レンズ又は中間アダプタとバヨネット結合するためのバヨネット爪２０３が周方向３箇所に形成されている。
【００３８】
さらに、これらバヨネット爪２０３が設けられている位置から後方に奥まった位置には、ミラーボックスの一部として、光軸Ｌ（図１１，１２参照）に対して直交する、すなわちマウント基準面２０２ａに対して平行な壁部（第１の壁部）２０５が形成されている。この壁部２０５の内側には、矩形状の開口が形成されており、該開口の後方奥には、クイックリターンミラー２０６が配置され、さらにその後方には、ＣＣＤやＣＭＯＳセンサからなる撮像素子２１０が固定されている（図１１，１２参照）。クイックリターンミラー２０６は、壁部２０５よりも後方にて回動する。
【００３９】
また、壁部２０５の下部には、複数の電気接点ピン２０４が設けられている。これら電気接点ピン２０４は、直接装着された第１の交換レンズ又は中間アダプタを介して装着された第１，第２の交換レンズとの通信やそれら交換レンズに対する電源供給を行うためのものである。
【００４０】
なお、図１３に示すように、マウント２０２における前端面の上部には、第１の交換レンズ又は中間アダプタをバヨネット結合させる際に、該第１の交換レンズ又は中間アダプタのバヨネット爪の位相を第１のカメラ２０１におけるバヨネット爪２０３のない位相（周方向にて隣り合うバヨネット爪２０３の間）に合わせるための目印となる赤色丸形状のカメラ側指標（以下、レンズ取り付け指標という）２０８が設けられている。
【００４１】
図８，９および１４には、第２のカメラ（カメラボディ）３０１を示す。第２のカメラ３０１の前面には、後述する第１，第２の交換レンズ又は中間アダプタを装着するためのリング状のマウント３０２が取り付けられている。このマウント３０２の前端面は、第１，第２の交換レンズ又は中間アダプタを装着する際の基準面（マウント基準面）３０２ａとなっている。
【００４２】
マウント３０２の内側（内径側）において、マウント基準面３０２ａから後方に奥まった位置には、第１，第２の交換レンズ又は中間リングとバヨネット結合するためのバヨネット爪３０３が周方向３箇所に形成されている。
【００４３】
さらに、これらバヨネット爪３０３が設けられている位置から後方に奥まった位置には、ミラーボックスの一部として、光軸Ｌ（図８，９参照）に対して直交する、すなわちマウント基準面３０２ａに対して平行な壁部３０５が形成されている。ここで、マウント基準面３０２ａから壁部３０５までの寸法と、第１のカメラ２０１におけるマウント基準面２０２ａから壁部２０５までの寸法とは同じである。
【００４４】
さらに、この壁部３０５の内側には、後述する第２の交換レンズの後端側に設けられた突出部を収容可能な収容部３０７が形成されている。この収容部３０７は、壁部３０５から後方に下がった凹形状を有し、その後端面（第２の壁部）３０７ａには、矩形状の開口が形成されている。
【００４５】
そして、該開口の後方奥には、クイックリターンミラー３０６が配置され、さらにその後方には、ＣＣＤやＣＭＯＳセンサからなる撮像素子３１０が固定されている（図８，９参照）。
【００４６】
ここで、本実施例の第２のカメラ３０１には、第１のカメラ２０１に比べて小さなイメージサークルに対応するよう、第１のカメラ２０１の撮像素子３１０よりも小さなサイズの撮像素子２１０が用いられている。このため、クイックリターンミラー３０６も第１のカメラ２０１のクイックリターンミラー３０６に比べて小型のものが用いられており、該クイックリターンミラー３０６は、収容部３０７の後端面３０７ａよりも後方にて回動する。クイックリターンミラー３０６および撮像素子３１０の小型化により、第２のカメラ３０１の全体を第１のカメラ２０１に対して小型化することができる。
【００４７】
なお、壁部３０５の下部には、複数の電気接点ピン３０４が設けられている。これら電気接点ピン３０４は、直接又は中間アダプタを介して装着された第１および第２の交換レンズとの通信やそれら交換レンズに対する電源供給を行うためのものである。
【００４８】
また、図１４に示すように、マウント３０２における前端面の上部には、第１の交換レンズ又は中間アダプタをバヨネット結合させる際に、第１の交換レンズ又は中間アダプタのバヨネット爪の位相を第２のカメラ３０１におけるバヨネット爪３０３のない位相（周方向にて隣り合うバヨネット爪３０３の間）に合わせるための目印となる赤色丸形状のカメラ側指標（以下、第１レンズ取り付け指標という）３０８が設けられている。
【００４９】
また、カメラボディ前面におけるマウント３０２よりも外側の部分には、第２の交換レンズをバヨネット結合させる際に、第２の交換レンズのバヨネット爪の位相を第２のカメラ３０１におけるバヨネット爪３０３のない位相（周方向にて隣り合うバヨネット爪３０３の間）に合わせるための目印となる白色四角形状のカメラ側指標（以下、第２レンズ取り付け指標という）３０９が設けられている。
【００５０】
図８，１１，１８および１９には、第１の交換レンズ４０１を示す。第１の交換レンズ４０１の内側には、複数の光学レンズ（図８および１８に、最後端の光学レンズ４１２の後端面のみ示す）が配置されている。第１の交換レンズ４０１の後部には、リング状のマウント４０２が取り付けられている。マウント４０２のうち最外周部分の後端面は、第１および第２のカメラ２０１，３０１又は中間アダプタに装着する際の基準面（マウント基準面）４０２ａとなっている。
【００５１】
また、マウント４０２におけるマウント基準面４０２ａよりも内径側は、後方に突出した形状を有し、この突出部の後端部の外周における３箇所には、第１および第２のカメラ２０１，３０１又は中間アダプタのバヨネット爪と係合可能なバヨネット爪４０３が形成されている。バヨネット爪４０３の後端面は、第１の交換レンズ４０１の後端面を構成している。
【００５２】
また、第１の交換レンズ４０１の後端面の下部には、第１および第２のカメラ２０１，３０１と直接又は中間アダプタを介したこれらカメラとの通信やこれらカメラからの電源供給を受けるための複数の電気接点４０４が設けられている。なお、これら電気接点４０４は、第１の交換レンズ４０１の後端面から若干後方に突出した位置に設けられているが、以下の説明においてはこの電気接点４０４の突出量は無視するものとする。
【００５３】
また、マウント４０２の最内径部には、レンズ保持部材４１３を介して光学レンズ４１２が保持されている。なお、この光学レンズ４１２は、固定保持されていてもよいし、光軸方向に可動としてもよい。
【００５４】
さらに、図１８および図１９に示すように、第１の交換レンズ４０１の外周面後部には、該第１の交換レンズ４０１を第１および第２のカメラ２０１，３０１又は中間アダプタにバヨネット結合させる際に、該第１の交換レンズ４０１のバヨネット爪４０３の位相を第１および第２のカメラ２０１，３０１又は中間アダプタにおけるバヨネット爪のない位相に合わせるための目印となる赤色丸形状のレンズ側指標（以下、第１レンズ側指標という）４０８が設けられている。
【００５５】
図９，１２，２０よび２１には、第２の交換レンズ５０１を示す。第２の交換レンズ５０１の内側には、複数の光学レンズ（図９および図２０に、最後端の光学レンズ５１２の後端面のみ示す）が配置されている。
【００５６】
第２の交換レンズ５０１の後部には、リング状のマウント５０２が取り付けられている。マウント５０２のうち最外周部分の後端面は、第２のカメラ３０１又は中間アダプタに装着する際の基準面（マウント基準面）５０２ａとなっている。
【００５７】
また、マウント５０２におけるマウント基準面５０２ａよりも内径側は、上記第１の交換レンズ４０１におけるマウント基準面４０２ａから後方への突出量よりも大きな突出量、突出した形状を有する。
【００５８】
そして、この突出した部分のうち光軸方向中間位置の外周３箇所には、第２のカメラ３０１又は中間アダプタのバヨネット爪と係合可能なバヨネット爪５０３が形成されている。ここで、マウント基準面５０２ａからバヨネット爪５０３の後端面までの寸法は、第１の交換レンズ４０１におけるマウント基準面４０２ａからバヨネット爪４０３の後端面までの寸法と同一である。
【００５９】
また、マウント５０２におけるバヨネット爪５０３の内径側は、さらに後方に突出している。なお、マウント基準面５０２ａからバヨネット爪５０３よりも後方に突出した部分の後端面までが請求の範囲にいう突出部であるが、ここでは、このバヨネット爪５０３よりも後方に突出した部分を、説明の便宜上、突出部５０５と称する。
【００６０】
図９に示すように、突出部５０５の後端面（正確には、後述するゴムリング５０６の後端面）のマウント基準面５０２ａからの突出量Ｂは、図８に示す第１の交換レンズ４０１におけるマウント基準面４０２ａから後方への突出量Ｂ’よりも大きい。
【００６１】
そしてこの突出部５０５の最内径部には、レンズ保持部材５１３を介して光学レンズ５１２が保持されている。なお、光学レンズ５１２は、固定保持されていてもよいし、突出部５０５の内側スペースを含む領域内で光軸方向に可動としてもよい。
【００６２】
ここで、突出部５０５の突出量が、第１の交換レンズ４０１における突出量よりも大きいことから、第２の交換レンズ５０１を第１のカメラ２０１に直接装着しようとした場合、突出部５０５の後端面が第１のカメラ２０１の壁部２０５に当接し、両者のバヨネット結合を妨げる。そして、このように突出部５０５が壁部２０５に当接した状態で第２の交換レンズ５０１が第１のカメラ２０１に対して回転させられると、壁部２０５や突出部５０５に傷が付くおそれがある。このため、突出部５０５の後端部には、ゴムリング５０６が全周にわたって取り付けられており、該突出部５０５の後端面の外周付近をリング状に覆っている。なお、ゴムリング５０６の後端面は、該ゴムリング５０６の内径側の部分（レンズ保持部材５１３の後端面）よりも若干後方に突出している。このようにすることで、第２の交換レンズ５０２の突出部５０５が第１のカメラ２０１の壁部２０５に当接し得る状態になっても、ゴムリング５０６が先に壁部２０５に当接し、その弾性によってより効果的に壁部２０５や突出部５０５に傷がつくことを回避できる。
【００６３】
ここで、図８および図９に示すように、第１の交換レンズ４０１のマウント基準面４０２ａから撮像面（撮像素子２１０，３１０の受光面）１００までの距離であるフランジバックＡは、第２の交換レンズ５０１のマウント基準面５０２ａから撮像面（撮像素子３１０の受光面）１００までの距離であるフランジバックＡと等しい。
【００６４】
また、図９に示す、第２の交換レンズ５０１における最後端の光学レンズ５１２から撮像面１００までの距離であるバックフォーカスＣは、図８に示す第１の交換レンズ４０１における最後端の光学レンズ４１２から撮像面１００までの距離であるバックフォーカスＣ’よりも短い。このようにバックフォーカスが短いことにより、第２の交換レンズ５０１は広角化を図るための光学設計上、有利なものとなっている。しかも、この第２の交換レンズ５０１が装着される第２のカメラ３０１においても、バックフォーカスが短いことにより、前述したようにイメージサークルを小さくすることができ、クイックリターンミラー３０６を小さくすることができる。
【００６５】
但し、通常の望遠撮影も可能とするため、第２のカメラ３０１には、第１の交換レンズ２０１も単独で（中間アダプタを必要とせずに）装着可能となっている。したがって、第１のカメラ２０１に装着可能な第１の交換レンズ２０１を第２のカメラ３０１でも有効利用することができる。
【００６６】
さらに、図２０に示すように、第２の交換レンズ５０１の外周面の後部には、該第２の交換レンズ５０１を第２のカメラ３０１又は中間アダプタにバヨネット結合させる際に、該第２の交換レンズ５０１のバヨネット爪５０３の位相を第２のカメラ３０１又は中間アダプタにおけるバヨネット爪のない位相に合わせるための目印となる白色四角形状のレンズ側指標（以下、第２レンズ側指標という）５０９が設けられている。
【００６７】
なお、第２の交換レンズ５０１における第２レンズ側指標５０９が設けられた位置のバヨネット爪５０３に対する位相は、第１の交換レンズ４０１における第１レンズ側指標４０８が設けられた位置のバヨネット爪４０３に対する位相とは２０度程度異なる。
【００６８】
また、マウント５０２には複数の電気接点５０４が保持されており、これら電気接点５０４は、バヨネット爪５０３よりも若干後方（ただし、突出部５０５の後端面よりも前側）にて露出している。
【００６９】
図８〜１２および図１５〜２１には、上記第１，第２の交換レンズ４０１，５０１と第１，第２のカメラ２０１，３０１との間に装着される中間アダプタ６０１を示している。なお、ここでは、中間アダプタ６０１を、その内部に光学レンズを有さない、至近距離撮影を行うための中間アダプタとして説明するが、本発明の中間アダプタは、その内部に光学レンズを有して撮影倍率を拡大するための中間アダプタでもよい。以下、図１０，１５６および図１７を中心に中間アダプタ６０１の構成について説明する。
【００７０】
中間アダプタ６０１において、円筒形状の本体６１０の光軸Ｌ方向のうち一端側（図１０の右側）には、リング状のカメラ側マウント６０２を有する。カメラ側マウント６０２のうち最外周部分の後端面は、第１および第２のカメラ２０１，３０１に装着する際の基準面（マウント基準面）６０２ａとなっている。
【００７１】
また、カメラ側マウント６０２におけるマウント基準面６０２ａよりも内径側は、後方に突出した形状を有し、その後端部の外周における３箇所には、第１および第２のカメラ２０１，３０１のバヨネット爪２０３，３０３と係合可能なバヨネット爪６１２が形成されている。バヨネット爪６１２の後端面は、中間アダプタ６０１の後端面を構成している。
【００７２】
また、カメラ側マウント６０２の後端面の下部には、第１および第２のカメラ２０１，３０１と第１および第２の交換レンズ２０１，３０１との間の通信や電源供給を中継する複数の電気接点６０４ｂが設けられている。なお、これら電気接点６０４ｂは、中間アダプタ６０１（カメラ側マウント６０２）の後端面から若干後方に突出した位置に設けられているが、以下の説明においてはこの電気接点６０４ｂの突出量は無視するものとする。
【００７３】
一方、本体６１０の光軸Ｌ方向のうち他端側（図１０の左側）には、リング状のレンズ側マウント６０３を有する。レンズ側マウント６０３のうち最外周部分の前端面は、第１および第２の交換レンズ４０１，５０１に装着する際の基準面（マウント基準面）６０３ａとなっている。
【００７４】
レンズ側マウント６０３の内側（内径側）において、マウント基準面６０３ａから後方に奥まった位置には、第１，第２の交換レンズ４０１，５０１とバヨネット結合するためのバヨネット爪６１３が周方向３箇所に形成されている。
【００７５】
さらに、これらバヨネット爪６１３が設けられている位置から後方に奥まった位置（本体６１０の内部）には、光軸Ｌに対して直交する、すなわちマウント基準面６０３ａに対して平行な壁部６０５が形成されている。ここで、マウント基準面６０３ａから壁部６０５までの寸法は、第１のカメラ２０１におけるマウント基準面２０２ａから壁部２０５までの寸法と同じである。
【００７６】
さらに、この壁部６０５の内側には、第２の交換レンズ５０１の後端側に設けられた突出部５０５を収容可能な収容部６０７が形成されている。この収容部６０７は、壁部６０５から後方に下がった凹形状を有し、その後端面（第３の壁部）６０７ａには、円形の開口が形成されている。
【００７７】
なお、壁部６０５の下部には、複数の電気接点ピン６０４ａが設けられている。これら電気接点ピン６０４ａは、本体６１０の内部で電気接点６０４ｂと電気的に接続されており、電気接点６０４ｂとともに、第１および第２のカメラ２０１，３０１と第１および第２の交換レンズ２０１，３０１との間の通信や電源供給を中継する。
【００７８】
さらに、図１５〜１７に示すように、レンズ側マウント６０３の周方向一箇所には、ロックピン６１１が設けられている。このロックピン６１１は、前方に向かって不図示のばねで付勢されており、本体６１０の外周に設けられたロック解除レバー６１５の操作によって該付勢力に抗して後方に引っ込む。ロックピン６１１は、レンズ側マウント６０３にバヨネット結合により装着された第１又は第２の交換レンズ４０１，５０１のマウント基準面に形成された穴部に係合して、該交換レンズの不用意な回転や中間アダプタ６０１からの脱落を防止するためのものである。なお、ロック解除レバー６１５を操作することにより、装着された交換レンズを取り外すことができる。
【００７９】
また、図１６（Ａ），（Ｂ）および図１７（Ａ），（Ｂ）に示すように、本体６１０の外周面におけるレンズ側マウント６０３寄りの位置には、第１の交換レンズ２０１とバヨネット結合する際に、第１の交換レンズ４０１のバヨネット爪４０３の位相と中間アダプタ６０１におけるレンズ側のバヨネット爪６１３のない位相（周方向にて隣り合うバヨネット爪６１３の間）とを合わせるための目印となる赤色丸形状の第１レンズ取り付け指標６１８が設けられている。さらに、本体６１０の外周面におけるレンズ側マウント６０３寄りの位置であって、第１レンズ取り付け指標６１８とは異なる位相位置（約２０度周方向に離れた位置）には、第２の交換レンズ５０１とバヨネット結合する際に、第２の交換レンズ５０１のバヨネット爪５０３の位相と中間アダプタ６０１におけるレンズ側のバヨネット爪６１３のない位相（周方向にて隣り合うバヨネット爪６１３の間）とを合わせるための目印となる白色四角形状の第２レンズ取り付け指標６１９が設けられている。
【００８０】
また、本体６１０の外周面におけるカメラ側マウント６０２寄りの位置には、この中間アダプタ６０１を第１および第２のカメラ２０１，３０１とバヨネット結合させる際に、カメラ側マウント６０２に設けられたバヨネット爪６１２の位相を第１および第２のカメラ２０１，３０１におけるバヨネット爪のない位相（周方向にて隣り合うバヨネット爪の間）に合わせるための目印となる赤色丸形状のアダプタ取り付け指標６０８が設けられている。
【００８１】
なお、本実施例で説明する第１のカメラ２０１と第２のカメラ３０１のマウント構造（形状および寸法）は、バヨネット爪の形状および寸法を含めて相互に同一である。また、第１の交換レンズ４０１と第２の交換レンズ５０１のマウント構造（形状および寸法）は、バヨネット爪の形状および寸法を含めて相互に同一である。そして、これらカメラと交換レンズ間では、互いに係合可能な共通のマウント構造を有する。さらに、中間アダプタ６０１におけるカメラ側マウント構造は、第１および第２の交換レンズ４０１，５０２のマウント構造と同一であり、レンズ側マウント構造は、第１および第２のカメラ２０１，３０１のマウント構造と同一である。
【００８２】
但し、それぞれに３つずつ設けられたバヨネット爪間にはその周方向長さに差が設けられている。これにより、相互に装着可能な２者間において、一方の３つのバヨネット爪が他方の３つのバヨネット爪の間に挿入される１つの位相関係にあるときに限り適正にそれらの装着が行われるようになっている。この位相関係を知る目印となるのが、指標２０８，３０８，３０９，４０８，５０９，６０８，６１８，６１９である。
【００８３】
このように構成された中間アダプタ６０１に第１の交換レンズ４０１を装着する場合は、図１８に示すように、第１の交換レンズ４０１に設けられた第１レンズ側指標４０８が中間アダプタ６０１に設けられた第１レンズ取り付け指標６１８に合うように両者の位相関係を決めて、第１の交換レンズ４０１のバヨネット爪４０３を中間アダプタ６０１のバヨネット爪６１３の間に挿入する。これにより、第１の交換レンズ４０１のマウント基準面４０２ａと中間アダプタ６０１のマウント基準面６０３ａとが当接する。このとき、図８および図１１に示すように、第１の交換レンズ４０１におけるマウント基準面４０２ａから後方への突出量は、中間アダプタ６０１におけるマウント基準面６０３ａから壁部６０５までの寸法より小さいので、両マウント基準面４０２ａ，６０３ａの当接は妨げられない。
【００８４】
そして、この状態で図１８の矢印方向に第１の交換レンズ４０１を中間アダプタ６０１に対して所定角度（ロックピン６１１によるロックがかかるまで）回転させることにより、バヨネット爪４０３，６１３同士が係合し（バヨネット爪４０３の前端面がバヨネット爪６１３の後端面に密着し）、図１９に示すように、第１の交換レンズ４０１の中間アダプタ６０１への装着が完了する。この状態で、中間アダプタ６０１の電気接点ピン６０４ａと第１の交換レンズ４０１の電気接点４０４とが接触する。
【００８５】
また、中間アダプタ６０１に第２の交換レンズ５０１を装着する場合は、図２０に示すように、第２の交換レンズ５０１に設けられた第２レンズ側指標５０９が中間アダプタ６０１に設けられた第２レンズ取り付け指標６１９に合うように両者の位相関係を決めて、第２の交換レンズ５０１のバヨネット爪５０３を中間アダプタ６０１のバヨネット爪６１３の間に挿入する。これにより、第２の交換レンズ５０１のマウント基準面５０２ａと中間アダプタ６０１のマウント基準面６０３ａとが当接する。
【００８６】
このとき、図９および図１２に示すように、第２の交換レンズ５０１の突出部５０５は、中間アダプタ６０１の収容部６０７内に入り込む（収容される）ため、両マウント基準面５０２ａ，６０３ａの当接は妨げられない。なお、突出部５０５（ゴムリング５０６）の後端面は、収容部６０７の後端面６０７ａに対して若干の隙間をあけて対向する。
【００８７】
そして、この状態で図２０の矢印方向に第２の交換レンズ５０１を中間アダプタ６０１に対して所定角度（ロックピン６１１によるロックがかかるまで）回転させることにより、バヨネット爪５０３，６１３同士が係合し（バヨネット爪５０３の前端面がバヨネット爪６１３の後端面に密着し）、図２１に示すように第２の交換レンズ５０１の中間アダプタ６０１への装着が完了する。この状態で、中間アダプタ６０１の電気接点ピン６０４ａと第２の交換レンズ５０１の電気接点５０４とが接触する。
【００８８】
このように、中間アダプタ６０１に第１および第２の交換レンズ４０１，５０１のそれぞれに対応した取り付け指標６１８，６１９を設けることにより、中間アダプタ６０１に対する第１および第２の交換レンズ４０１，５０１の装着を容易とし、誤装着を極力回避することができる。
【００８９】
また、中間アダプタ６０１を第１のカメラ２０１又は第２のカメラ３０１（以下、これらをまとめて単にカメラという）に装着する場合は、中間アダプタ６０１に設けられたアダプタ取り付け指標６０８がカメラに設けられたレンズ取り付け指標（第１のカメラ２０１におけるレンズ取り付け指標２０８、第２のカメラ３０１における第１レンズ取り付け指標３０８）に合うように両者の位相関係を決めて、中間アダプタ６０１のバヨネット爪６１２をカメラのバヨネット爪の間に挿入する。これにより、中間アダプタ６０１のマウント基準面６０２ａとカメラのマウント基準面とが当接する。このとき、図８，９，１１，１２に示すように、中間アダプタ６０１のマウント基準面６０２ａから後方への突出量は、カメラのマウント基準面から壁部２０５，３０５までの寸法よりも小さいので、両マウント基準面の当接は妨げられない。
【００９０】
そして、この状態で所定の方向に中間アダプタ６０１をカメラに対して所定角度（カメラに設けられた不図示のロックピンによるロックがかかるまで）回転させることにより、上記バヨネット爪同士が係合し（バヨネット爪６１２の前端面がカメラのバヨネット爪の後端面に密着し）、中間アダプタ６０１のカメラへの装着が完了する。またこの状態で、中間アダプタ６０１の電気接点６０４ｂとカメラの電気接点ピンとが接触し、中間アダプタ６０１を介したカメラと交換レンズとの間での通信および該カメラから該交換レンズへの電源供給が可能となる。
【００９１】
以上の取り付け操作によって、図１１に示すように第１のカメラ２０１に対して中間アダプタ６０１を介して第１の交換レンズ４０１が装着される組み合わせ、図１２に示すように第１のカメラ２０１に対して中間アダプタ６０１を介して第２の交換レンズ５０１が装着される組み合わせ、図８に示すように第２のカメラ３０１に対して中間アダプタ６０１を介して第１の交換レンズ４０１が装着される組み合わせ、および図９に示すように第２のカメラ３０１に対して中間アダプタ６０１を介して第２の交換レンズ５０１が装着される組み合わせで、撮影を行うことができる。
【００９２】
以上説明したように、本実施例にて説明した中間アダプタ６０１は、第１，第２の交換レンズ４０１，５０１および第１，第２のカメラ２０１，３０１のすべてに装着することができる。このため、もともと直接の装着が可能な第１のカメラ２０１と第１の交換レンズ４０１との組み合わせ、第２のカメラ３０１と第１および第２の交換レンズ４０１，５０１との組み合わせに加えて、直接は装着ができない第２のカメラ３０１と第２の交換レンズ５０１との組み合わせも使用することができるようになる。しかも、これらのすべての組み合わせを、１つの中間アダプタ６０１で実現することができる。
【００９３】
したがって、複数の中間アダプタを用意しなくても、カメラと交換レンズの組み合わせの選択自由度（カメラシステムの使用形態の幅）を広げることができる。
【００９４】
しかも、中間アダプタ６０１には、第２の交換レンズ５０１の突出部５０５を収容する収容部が形成されているので、第２の交換レンズ０５１の装着時に、中間アダプタ６０１の壁部６０５および該突出部５０５に傷が付くことも回避できる。特に、本実施例では、突出部５０５の後端部にゴムリング５０６が取り付けられているので、さらに壁部６０５および突出部５０５に傷が付くおそれが少ない。なお、ゴムリング５０６は必ずしも必要ではない。
【図面の簡単な説明】
【００９５】
【図１】本発明の実施例１である中間アダプタの正面図。
【図２】本発明の実施例１である中間アダプタの上面図。
【図３】本発明の実施例１である中間アダプタの斜視図。
【図４】第１のバックフォーカス長規格の元に製作された交換レンズを実施例１の中間アダプタに取り付ける際の角度位相を示した斜視図。
【図５】第１のバックフォーカス長規格の元に製作された交換レンズと実施例１の中間アダプタとの装着完了状態を示す斜視図。
【図６】第２のバックフォーカス長規格の元に製作された交換レンズを実施例１の中間アダプタに取り付ける際の角度位相を示した斜視図。
【図７】第２のバックフォーカス長規格の元に製作された交換レンズと実施例１の中間アダプタとの装着完了状態を示す斜視図。
【図８】本発明の実施例２である中間アダプタを用いた、第２のカメラと第１の交換レンズの組み合わせを示す断面図。
【図９】本発明の実施例２である中間アダプタを用いた、第２のカメラと第２の交換レンズの組み合わせを示す断面図。
【図１０】本発明の実施例２である中間アダプタの断面図。
【図１１】本発明の実施例２である中間アダプタを用いた、第１のカメラと第１の交換レンズの組み合わせを示す断面図。
【図１２】本発明の実施例２である中間アダプタを用いた、第１のカメラと第２の交換レンズの組み合わせを示す断面図。
【図１３】本発明の実施例２の中間アダプタが装着可能な第１のカメラの斜視図。
【図１４】本発明の実施例２の中間アダプタが装着可能な第２のカメラの斜視図。
【図１５】本発明の実施例２である中間アダプタの正面図。
【図１６】本発明の実施例２である中間アダプタの上面図（Ａ）および側面図（Ｂ）。
【図１７】本発明の実施例２である中間アダプタの斜視図（（Ａ）はレンズ装着側から、（Ｂ）はカメラ装着側からの図）。
【図１８】本発明の実施例２である中間アダプタに第１の交換レンズを取り付ける際の位相を示した斜視図。
【図１９】本発明の実施例２である中間アダプタと第１の交換レンズとの装着完了状態を示す斜視図。
【図２０】本発明の実施例２である中間アダプタに第２の交換レンズを取り付ける際の位相を示した斜視図。
【図２１】本発明の実施例２である中間アダプタと第２の交換レンズとの装着完了状態を示す斜視図。
【符号の説明】
【００９６】
１  中間アダプタ
２  本体
３  レンズ側マウント
４  カメラ側マウント
５  電気的接続手段
６  ロックレバー
７  レンズ側第１取り付け指標
８  レンズ側第２取り付け指標
９  カメラ側取り付け指標
１０  第１のバックフォーカス長規格の元に製作された交換レンズ
１０ａ  第１の取付け指標
２０  第２のバックフォーカス長規格の元に製作された交換レンズ
２０ａ  第２の取付け指標
１００  撮像面
２０１  第１のカメラ
２０２  マウント
２０３  バヨネット爪
２０５  壁部
２０６  クイックリターンミラー
２０８  レンズ取り付け指標
２１０  撮像素子
３０１  第２のカメラ
３０２  マウント
３０３  バヨネット爪
３０６  クイックリターンミラー
３０７  収容部
３０８  第１レンズ取り付け指標
３０９  第２レンズ取り付け指標
３１０  撮像素子
４０１  第１の交換レンズ
４０２  マウント
４０３  バヨネット爪
４０８  第１レンズ側取り付け指標
５０１  第２の交換レンズ
５０２  マウント
５０３  バヨネット爪
５０５  突出部
５０９  第２レンズ側取り付け指標
６０１  中間アダプタ
６０２，６０３  マウント
６０７  収容部
６０８  アダプタ取り付け指標
６１２，６１３  バヨネット爪
６１８  第１レンズ取り付け指標
６１９  第２レンズ取り付け指標
【図１】
2005070711.tif 000003
【図２】
2005070711.tif 000004
【図３】
2005070711.tif 000005
【図４】
2005070711.tif 000006
【図５】
2005070711.tif 000007
【図６】
2005070711.tif 000008
【図７】
2005070711.tif 000009
【図８】
2005070711.tif 000010
【図９】
2005070711.tif 000011
【図１０】
2005070711.tif 000012
【図１１】
2005070711.tif 000013
【図１２】
2005070711.tif 000014
【図１３】
2005070711.tif 000015
【図１４】
2005070711.tif 000016
【図１５】
2005070711.tif 000017
【図１６】
2005070711.tif 000018
【図１７】
2005070711.tif 000019
【図１８】
2005070711.tif 000020
【図１９】
2005070711.tif 000021
【図２０】
2005070711.tif 000022
【図２１】
2005070711.tif 000023
【手続補正書】
【提出日】平成16年6月3日(2004.6.3)
【手続補正１】
【補正対象書類名】明細書
【補正対象項目名】００２７
【補正方法】変更
【補正の内容】
【００２７】
図１、２および３において、１は中間アダプタ、２はアダプタ本体、３はレンズ側マウント、４はカメラ側マウントである。レンズ側マウント３およびカメラ側マウント４にはそれぞれ、交換レンズのマウントに設けられたバヨネット爪およびカメラのマウントに設けられたバヨネット爪に係合可能なバヨネット爪が設けられている。
【手続補正２】
【補正対象書類名】明細書
【補正対象項目名】００３２
【補正方法】変更
【補正の内容】
【００３２】
続いて、図６、図７を用いて、第２のバックフォーカス長規格の元に製作された交換レンズ２０に中間アダプタ１を取り付ける際の動作について説明する。交換レンズ２０の取り付け指標２０ａに対して中間アダプタ１のレンズ側第２取り付け指標８の角度位置を合わせて交換レンズ２０のマウントにレンズ側マウント３を挿入し、カメラ側のロックピンが係合するまで交換レンズ２０を回転させ、交換レンズ２０に中間アダプタ１を取り付ける。
【手続補正３】
【補正対象書類名】明細書
【補正対象項目名】００４６
【補正方法】変更
【補正の内容】
【００４６】
ここで、本実施例の第２のカメラ３０１には、第１のカメラ２０１に比べて小さなイメージサークルに対応するよう、第１のカメラ２０１の撮像素子２１０よりも小さなサイズの撮像素子３１０が用いられている。このため、クイックリターンミラー３０６も第１のカメラ２０１のクイックリターンミラー２０６に比べて小型のものが用いられており、該クイックリターンミラー３０６は、収容部３０７の後端面３０７ａよりも後方にて回動する。クイックリターンミラー３０６および撮像素子３１０の小型化により、第２のカメラ３０１の全体を第１のカメラ２０１に対して小型化することができる。
【手続補正４】
【補正対象書類名】明細書
【補正対象項目名】００６２
【補正方法】変更
【補正の内容】
【００６２】
ここで、突出部５０５の突出量が、第１の交換レンズ４０１における突出量よりも大きいことから、第２の交換レンズ５０１を第１のカメラ２０１に直接装着しようとした場合、突出部５０５の後端面が第１のカメラ２０１の壁部２０５に当接し、両者のバヨネット結合を妨げる。そして、このように突出部５０５が壁部２０５に当接した状態で第２の交換レンズ５０１が第１のカメラ２０１に対して回転させられると、壁部２０５や突出部５０５に傷が付くおそれがある。このため、突出部５０５の後端部には、ゴムリング５０６が全周にわたって取り付けられており、該突出部５０５の後端面の外周付近をリング状に覆っている。なお、ゴムリング５０６の後端面は、該ゴムリング５０６の内径側の部分（レンズ保持部材５１３の後端面）よりも若干後方に突出している。このようにすることで、第２の交換レンズ５０１の突出部５０５が第１のカメラ２０１の壁部２０５に当接し得る状態になっても、ゴムリング５０６が先に壁部２０５に当接し、その弾性によってより効果的に壁部２０５や突出部５０５に傷がつくことを回避できる。
【手続補正５】
【補正対象書類名】明細書
【補正対象項目名】００６５
【補正方法】変更
【補正の内容】
【００６５】
但し、通常の望遠撮影も可能とするため、第２のカメラ３０１には、第１の交換レンズ２０１も単独で（中間アダプタを必要とせずに）装着可能となっている。したがって、第１のカメラ２０１に装着可能な第１の交換レンズ４０１を第２のカメラ３０１でも有効利用することができる。
【手続補正６】
【補正対象書類名】明細書
【補正対象項目名】００７２
【補正方法】変更
【補正の内容】
【００７２】
また、カメラ側マウント６０２の後端面の下部には、第１および第２のカメラ２０１，３０１と第１および第２の交換レンズ４０１，５０１との間の通信や電源供給を中継する複数の電気接点６０４ｂが設けられている。なお、これら電気接点６０４ｂは、中間アダプタ６０１（カメラ側マウント６０２）の後端面から若干後方に突出した位置に設けられているが、以下の説明においてはこの電気接点６０４ｂの突出量は無視するものとする。
【手続補正７】
【補正対象書類名】明細書
【補正対象項目名】００７７
【補正方法】変更
【補正の内容】
【００７７】
なお、壁部６０５の下部には、複数の電気接点ピン６０４ａが設けられている。これら電気接点ピン６０４ａは、本体６１０の内部で電気接点６０４ｂと電気的に接続されており、電気接点６０４ｂとともに、第１および第２のカメラ２０１，３０１と第１および第２の交換レンズ４０１，５０１との間の通信や電源供給を中継する。
【手続補正８】
【補正対象書類名】明細書
【補正対象項目名】００７９
【補正方法】変更
【補正の内容】
【００７９】
また、図１６（Ａ），（Ｂ）および図１７（Ａ），（Ｂ）に示すように、本体６１０の外周面におけるレンズ側マウント６０３寄りの位置には、第１の交換レンズ４０１とバヨネット結合する際に、第１の交換レンズ４０１のバヨネット爪４０３の位相と中間アダプタ６０１におけるレンズ側のバヨネット爪６１３のない位相（周方向にて隣り合うバヨネット爪６１３の間）とを合わせるための目印となる赤色丸形状の第１レンズ取り付け指標６１８が設けられている。さらに、本体６１０の外周面におけるレンズ側マウント６０３寄りの位置であって、第１レンズ取り付け指標６１８とは異なる位相位置（約２０度周方向に離れた位置）には、第２の交換レンズ５０１とバヨネット結合する際に、第２の交換レンズ５０１のバヨネット爪５０３の位相と中間アダプタ６０１におけるレンズ側のバヨネット爪６１３のない位相（周方向にて隣り合うバヨネット爪６１３の間）とを合わせるための目印となる白色四角形状の第２レンズ取り付け指標６１９が設けられている。
【手続補正９】
【補正対象書類名】明細書
【補正対象項目名】００９２
【補正方法】変更
【補正の内容】
【００９２】
以上説明したように、本実施例にて説明した中間アダプタ６０１は、第１，第２の交換レンズ４０１，５０１および第１，第２のカメラ２０１，３０１のすべてに装着することができる。このため、もともと直接の装着が可能な第１のカメラ２０１と第１の交換レンズ４０１との組み合わせ、第２のカメラ３０１と第１および第２の交換レンズ４０１，５０１との組み合わせに加えて、直接は装着ができない第１のカメラ２０１と第２の交換レンズ５０１との組み合わせも使用することができるようになる。しかも、これらのすべての組み合わせを、１つの中間アダプタ６０１で実現することができる。
【手続補正１０】
【補正対象書類名】明細書
【補正対象項目名】００９４
【補正方法】変更
【補正の内容】
【００９４】
しかも、中間アダプタ６０１には、第２の交換レンズ５０１の突出部５０５を収容する収容部が形成されているので、第２の交換レンズ５０１の装着時に、中間アダプタ６０１の壁部６０５および該突出部５０５に傷が付くことも回避できる。特に、本実施例では、突出部５０５の後端部にゴムリング５０６が取り付けられているので、さらに壁部６０５および突出部５０５に傷が付くおそれが少ない。なお、ゴムリング５０６は必ずしも必要ではない。
【手続補正１１】
【補正対象書類名】図面
【補正対象項目名】図５
【補正方法】変更
【補正の内容】
【図５】
2005070711.tif 000024
【手続補正１２】
【補正対象書類名】図面
【補正対象項目名】図９
【補正方法】変更
【補正の内容】
【図９】
2005070711.tif 000025
【手続補正１３】
【補正対象書類名】図面
【補正対象項目名】図１８
【補正方法】変更
【補正の内容】
【図１８】
2005070711.tif 000026